(57)【特許請求の範囲】
【請求項１】
衛生用紙の収納箱であって、
天面と、
前記天面に対向する底面と、
前記天面の幅方向の第１の稜線から延在する第１の短側面と、
前記天面の幅方向の第２の稜線から延在する第２の短側面と、
前記第１の短側面における第１の端部から前記第１の稜線における開口部を経て前記天面における第２の端部にかけて設けられた、前記衛生用紙を取り出す取出し口と、
前記天面に設けられ、外周がミシン目で形成された天面取出し口と、
前記底面の前記第２の短側面側に設けられ、前記衛生用紙の残り枚数が少なくなったときに前記衛生用紙を押上げ可能な押上げ片と、
を備え、
前記第２の端部が折り曲げ線であり、
前記押上げ片が、前記第２の短側面側から延在し、折り目の一つが第２の短側面に向かって凸となるようにつづら折り状に折り畳まれ、前記押上げ片の折り目が延びることにより前記衛生用紙を押上げるものであり、
前記第１の短側面が４０ｍｍないし５５ｍｍの高さを有し、
前記第１の稜線における前記開口部が前記天面における前記第２の端部よりも広い幅を有することを特徴とする収納箱。
【請求項２】
前記第１の稜線における前記開口部が前記第１の稜線の全長に対し１００％を下回る範囲で６０％以上の幅を有し、かつ、前記天面における前記第２の端部が前記開口部の幅を下回る範囲で前記第１の稜線の全長に対し４５％以上の幅を有することを特徴とする請求項１に記載の収納箱。
【請求項３】
前記第１の短側面における前記第１の端部が前記第１の稜線における前記開口部よりも狭い幅を有することを特徴とする請求項１又は２に記載の収納箱。
【請求項４】
前記第１の短側面における前記第１の端部が前記第１の稜線における前記開口部よりも広い幅を有することを特徴とする請求項１又は２に記載の収納箱。
【発明の詳細な説明】
【技術分野】
【０００１】
本発明は、衛生用紙の収納箱に関する。
【背景技術】
【０００２】
従来、ティシュペーパー等の衛生用紙を収納した収納箱は広く知られている。収納箱は６面体から構成される箱体であって、一般的には、その天面の中央部に設けた開口にスリットを有する透明な樹脂フィルムを貼りつけてティシュペーパーの取出し口としている。ティシュペーパーは、通常、２枚一組に重ね合せたものをシートとし、各シートが継続して収納箱からポップアップ式に取り出せるように交互に長方形に折り畳まれて積層（Ｖフォールドともいう）されて収納されている。
【０００３】
このように収納箱の天面に設けた取出し口からティシュペーパーを取り出すことが一般的であるが、これに対し、収納箱の設置場所や使用する態様によっては、側面や底面から取り出すことができれば好都合な場合がある。例えば、収納箱を壁に貼り付ける場合や、テーブルに平置きするものの収納箱の上に他の物が重ねられてしまうような場合、側面からティシュペーパーを取り出せれば都合がよい。側面からティシュペーパーを取り出す技術の例としては、特許文献１ないし３に記載されている。
【０００４】
しかし、特許文献１は、収納箱の長側面（天面及び底面の長辺から延在する側面をいう）に取出し口を設けたものであり、Ｖフォールドされたシートの場合、折畳み方向が交互に逆になるためにシートごとの取出しに要する力や次のシートの飛出し状態が安定しないという問題があった。また、特許文献２及び３は、収納箱の短側面（天面及び底面の短辺から延在する側面をいう）に取出し口を設けたものであるが、収納されたティシュペーパーが１００ないし２００組程度であって高さの低いスリムタイプの収納箱の場合では、特に使用開始時のティシュペーパーの取出しが困難であり、無理に取り出すとティシュペーパーが破れるという問題があった。
【先行技術文献】
【特許文献】
【０００５】
【特許文献１】特開２００６−１６０２９３号公報
【特許文献２】特開２０１０−１１６１９３号公報
【特許文献３】特開２０１３−０６３８０４号公報
【発明の概要】
【発明が解決しようとする課題】
【０００６】
本発明は、上述したような問題を解決するために提案されたものであり、短側面からのティシュペーパーの取出しにおいて、スリットを有する樹脂フィルムを用いることなく、高さの低いスリムタイプであっても、使用開始時からティシュペーパーをスムーズに取り出すことができ、取出し時にティシュペーパーの破れがない収納箱を提供することを目的とする。
【課題を解決するための手段】
【０００７】
上記した課題を解決するために、本発明は、次のような衛生用紙を収納する収納箱を提供する。
（１）衛生用紙の収納箱であって、天面と、前記天面の幅方向の第１の稜線から延在する第１の短側面と、前記第１の短側面における第１の端部から前記第１の稜線における開口部を経て前記天面における第２の端部にかけて設けられた、前記衛生用紙を取り出す取出し口とを備え、前記第１の短側面が４０ｍｍないし５５ｍｍの高さを有し、前記第１の稜線における前記開口部が前記天面における前記第２の端部よりも広い幅を有することを特徴とする。
【０００８】
（２）上記（１）において、前記第１の稜線における前記開口部は前記第１の稜線の全長に対し６０％以上１００％以下の幅を有し、かつ、前記天面における前記第２の端部は前記開口部の幅を下回る範囲で前記第１の稜線の全長に対し４５％以上の幅を有してもよい。
【０００９】
（３）上記（１）又は（２）において、さらに、前記天面に対向する底面と、前記天面の幅方向の第２の稜線から延在する第２の短側面と、前記底面の前記第２の短側面側に設けられ、前記衛生用紙の残り枚数が少なくなったときに前記衛生用紙を押上げ可能な押上げ片とを備えてもよい。
【００１０】
（４）上記（１）ないし（３）のいずれかにおいて、前記第１の短側面における前記第１の端部は前記第１の稜線における前記開口部よりも狭い幅を有してもよい。
【００１１】
（５）上記（１）ないし（３）のいずれかにおいて、前記第１の短側面における前記第１の端部は前記第１の稜線における前記開口部よりも広い幅を有してもよい。
【発明の効果】
【００１２】
本発明によれば、短側面からのティシュペーパーの取出しにおいて、スリットを有する樹脂フィルムを用いることなく、高さの低いスリムタイプであっても、使用開始時からティシュペーパーをスムーズに取り出すことができ、取出し時にティシュペーパーの破れがない収納箱を提供する。
【図面の簡単な説明】
【００１３】
【図１】第１の実施形態に係るカートン（収納箱）を示す斜視図である。
【図２】図１のカートンの展開図である。
【図３】図１のカートンを用いて衛生用紙を取り出す状態を説明する図であって、（ａ）は取出し口を開封した状態を示す図、（ｂ）は人の指で一組目の衛生用紙の取出しを開始した状態を示す図、及び（ｃ）は一組目の衛生用紙が取り出された状態を示す図である。
【図４】図１のカートンにおいて、収納されている衛生用紙が少なくなった状態での押上げ片を模式的に示す図である。
【図５】図４のカートンにおいて、押上げ片の別の例を模式的に示す図である。
【図６】第２の実施形態に係るカートンを示す展開図である。
【発明を実施するための形態】
【００１４】
以下、図面を参照しつつ、本発明の実施形態について説明する。なお、同一の要素には同一の符号を付し、重複する説明は省略するものとする。
【００１５】
〔第１の実施形態〕
まず、本発明に係る第１の実施形態について、説明する。
【００１６】
図１は、ティシュペーパーＴ（衛生用紙）を収納するカートン１０（収納箱）の概要を示している。カートン１０は、６面体であって直方体を形成しており、天面１１、側面１２及び天面１１に対向する底面１６を有している。側面１２は、天面１１の短辺を構成する第１の稜線１０ａから延在する第１の短側面１２ａ、同じく第２の稜線１０ｂから延在する第２の短側面１２ｂ、天面１１の長辺を構成する第３の稜線１０ｃから延在する第１の長側面１２ｃ、及び同じく第４の稜線１０ｄから延在する第２の長側面１２ｄから構成されている。
【００１７】
第１の短側面１２ａから、後述する第１の稜線１０ａと交わる開口部１３ｃを経て、天面１１にかけて、ティシュペーパーＴを取り出すための取出し口１３が設けられている。取出し口１３は、その始端部１３ａ（第１の端部）が第１の短側面１２ａにミシン目によって形成されており、終端部１３ｂ（第２の端部）が天面１１に罫線（折曲げ線）として形成されている。始端部１３ａと終端部１３ｂの間はミシン目によって連結されており、カートン１０からティシュペーパーＴを取り出す際には、始端部１３ａから終端部１３ｂまでを人の指で開封する。
【００１８】
なお、図１及び後続する各図には、第１の短側面１２ａから天面１１にかけての取出し口１３のほかに、天面１１にもう一つの取出し口として、通常の天面取出し口１４も設けた例を示している。これは、カートン１０の配置場所や使用の態様などによって付加的に天面取出し口１４も設けることができることを示したものであり、第１の実施形態においては、天面取出し口１４を設けるかどうかは任意である。天面取出し口１４を設けた場合、その外周はミシン目で形成されるとともに、両端部の少なくとも一方には天面取出し口１４を開封する契機となる契機部１４ａがやはりミシン目で囲われている。
【００１９】
カートン１０の底面１６の内側であって第２の稜線１０ｂから延在する第２の短側面１２ｂの側には、押上げ片１５が設けられている。押上げ片１５は、収納されているティシュペーパーＴが使用に伴ってその残量が減少した際に、取出し口１３からティシュペーパーＴが取り出し難くなることを抑制、防止するためのものである。押上げ片１５については、後述する。
【００２０】
次に、図２を参照しつつ、取出し口１３について詳しく説明する。図２に示したように、取出し口１３は、第１の稜線１０ａを挟んで、第１の短側面１２ａに設けられた始端部１３ａから天面１１に設けられた終端部１３ｂまで延在している。ここで、取出し口１３が第１の稜線１０ａと交わる位置を開口部１３ｃと呼ぶこととする。図２から明らかなように、開口部１３ｃは終端部１３ｂよりも広く、取出し口１３の幅は開口部１３ｃから終端部１３ｂに向かって狭くなるように形成されている。このようにすることで、ティシュペーパーＴが内部一杯に収納されている開封直後のカートン１０であっても、ティシュペーパーＴを取出し口１３からスムーズに取り出すことができ、しかも、取出し時にティシュペーパーＴが破れることがないことが確かめられた。ここで、始端部１３ａから開口部１３ｃまで延在するミシン目は、開口部１３ｃの近傍において開口部１３ｃと角度９０度で交差する直交部１３ｄを有しており、直交部１３ｄは、３ｍｍ以上８ｍｍ以下とすることがミシン目を破断する容易性の観点から好ましい。
【００２１】
開口部１３ｃと終端部１３ｂの設定については、開口部１３ｃの幅は第１の稜線１０ａの全長に対し１００％を下回る範囲で６０％以上、カートン１０の強度保持を考慮すると好ましくは６０％以上８０％以下、終端部１３ｂの幅は開口部１３ｃの幅を下回る範囲で第１の稜線１０ａの全長の４５％以上とすることが好ましい。開口部１３ｃの幅を第１の稜線１０ａの全長の６０％、終端部１３ｂの幅を第１の稜線１０ａの全長の４５％とした場合、その比率は、４対３となる。
【００２２】
第１の実施形態では、第１の短側面１２ａに設けられた取出し口１３の始端部１３ａの幅は、開口部１３ｃの幅よりも狭くなるように形成されている。このように構成することにより、第１の短側面１２ａ上にある始端部１３ａが相対的に短いため、そのミシン目を容易に破断することができる。
【００２３】
図３を参照して、第１の実施形態に係るカートン１０からティシュペーパーＴを取り出す動作、特に、使用開始時の動作について、説明する。まず、図３（ａ）に示すように、取出し口１３の始端部１３ａを人の指などで内部に向かって押圧してミシン目を破断し、終端部１３ｂが折り目となる位置まで取出し口１３を開封する。そして、図３（ｂ）に示すように、一組目のティシュペーパーＴを取出し口１３から天面１１の長手方向に沿って取り出す。図３（ｃ）は、一組目のティシュペーパーＴを取り出した後にポップアップされた二組目のティシュペーパーＴが取出し口１３から外部へ部分的にはみ出している状態を示している。
【００２４】
次に、図４を参照して、押上げ片１５について、説明する。図４では、押上げ片１５はカートン１０の底面１６の第２の短側面１２ｂ側から折り畳まれて延在する態様を例として示している。カートン１０にティシュペーパーＴが最初に収納されたときは、ティシュペーパーＴはほとんど隙間なくカートン１０に収納されるため、押上げ片１５は図１に示したように、底面１６に当接するような状態となっている。
【００２５】
徐々にティシュペーパーＴが使用され、残量が減少してくると、カートン１０の内部に隙間が生じるとともに、ティシュペーパーＴ自体の重量も軽くなる。そのような状態になると、折り畳まれていた押上げ片１５の折り目が延びようとする弾力が少しずつティシュペーパーＴの残量の重量に打ち勝ち、上方に押し上げることが可能となる。
【００２６】
なお、押上げ片１５の態様はこれに限定されるものではなく、例えば、山型に２つの折り目を予めつけておき、ティシュペーパーＴの残量が減少するにつれて徐々に山頂部が上方に盛り上がるように構成してもよい。また、カートン１０の底面１６の第２の短側面１２ｂ側に、押上げ片１５を第２の短側面１２ｂに向かって凸となるように折曲げ可能な切込み部分として設けておき、ティシュペーパーＴの残量が減少したときに、図５に示すように、ティシュペーパーＴを引出す力で押上げ片１５が押し上げられるように構成してもよい。この際、押上げ片１５をミシン目で破断可能に設けておき、必要なときに破断するようにしてもよい。
【００２７】
〔第２の実施形態〕
次に、本発明に係る第２の実施形態について、説明する。第２の実施形態では、図６に示すように、第１の短側面１２ａに設けられた取出し口１３の始端部１３ａの幅は、開口部１３ｃの幅よりも広くなるように形成されている。その他の点は第１の実施形態と同様である。
【００２８】
このように構成することにより、第１の短側面１２ａにおける取出し口１３の開口面積を広くとることができ、ひいては、ティシュペーパーＴが相対的に固めのものであっても、良好な取出し性を確保できる。
【実施例】
【００２９】
第１の実施形態を用いて、以下の仕様を満たすカートン１０及びティシュペーパーＴを用意し、取出し口１３からのティシュペーパーＴの取出し性を実証した。
（１）カートン１０について
・第１の短側面１２ａの幅（長さ）：１１８ｍｍ
・開口部１３ｃの幅（長さ）：８０ｍｍ（第１の短側面１２ａの幅に対する比：約６７．８％）
・終端部１３ｂの幅（長さ）：５５ｍｍ（第１の短側面１２ａの幅に対する比：約４６．６％）
・第１の短側面１２ａの高さ（カートン１０の高さ）：内寸４４．３ｍｍ、外寸４５ｍｍ
（２）ティシュペーパーＴについて
・枚数：２４０枚／１２０組
・積層状態：Ｖフォールド
・材質：坪量１１．５ｇ／ｍ２、縦引張強度５００ｇｆ／２５ｍｍ、横引張強度１５０ｇｆ／２５ｍｍ
【００３０】
その結果、第１の短側面１２ａから天面１１にかけて設けられた取出し口１３からのティシュペーパーＴの取出しにおいて、スリットを有する樹脂フィルムを用いることなく、高さの低いスリムタイプのカートン１０であっても、使用開始時からティシュペーパーＴをスムーズに取り出すことができ、取出し時にティシュペーパーＴの破れは生じなかった。
【００３１】
以上、各実施形態を用いて本発明を説明したが、本発明の技術的範囲は上記実施形態に記載の範囲には限定されないことは言うまでもない。上記実施形態及び実施例に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００３２】
１０…カートン＜収納箱＞
１０ａ…第１の稜線（カートンの天面の）
１０ｂ…第２の稜線（カートンの天面の）
１０ｃ…第３の稜線（カートンの天面の）
１０ｄ…第４の稜線（カートンの天面の）
１１…天面（カートンの）、
１２…側面（カートンの）、
１２ａ…第１の短側面（カートンの）、
１２ｂ…第２の短側面（カートンの）、
１２ｃ…第１の長側面（カートンの）、
１２ｄ…第２の長側面（カートンの）、
１３…取出し口、
１３ａ…始端部＜第１の端部＞（取出し口の）
１３ｂ…終端部＜第２の端部＞（取出し口の）
１３ｃ…開口部（取出し口の）
１３ｄ…直交部（取出し口の）
１４…天面取出し口
１４ａ…契機部（天面取出し口の）
１５…押上げ片
１６…底面（カートンの）
【図１】
0006565031.tif 000002
【図２】
0006565031.tif 000003
【図３】
0006565031.tif 000004
【図４】
0006565031.tif 000005
【図５】
0006565031.tif 000006
【図６】
0006565031.tif 000007